(57)【要約】【課題】肌の凸部分にフィットする構成としつつも、製造し易く、低コスト化を図ることができる電気かみそりを提供する。【解決手段】把持部１２と該把持部１２の上端部に設けられたヘッド部１３とを備え、ヘッド部１３の上端には、体毛が導入可能な外刃２０が複数並設される。そして、複数の外刃２０は、その並設方向（前後方向Ｘ）から見て上端２２ａが直線形状をなす直線外刃２２と、並設方向から見て上端２１ａが凸形状に湾曲する湾曲外刃２１とが少なくとも１つずつ含まれる。【選択図】図２
2011067420.tif 000002
【特許請求の範囲】
【請求項１】
把持部と該把持部の上端部に設けられたヘッド部とを備え、
前記ヘッド部の上端には、体毛が導入可能な外刃が複数並設され、
前記各外刃の内部側には、電動駆動可能な内刃が設けられた電気かみそりであって、
複数の前記外刃は、その並設方向から見て上端が直線形状をなす直線外刃と、前記並設方向から見て上端が凸形状に湾曲する湾曲外刃とを少なくとも１つずつ含むことを特徴とする電気かみそり。
【請求項２】
請求項１に記載の電気かみそりにおいて、
前記各外刃は、前記ヘッド部に対してフロート支持されたことを特徴とする電気かみそり。
【請求項３】
請求項２に記載の電気かみそりにおいて、
前記並設方向の両端の前記外刃のうちの少なくとも一方は、前記湾曲外刃であることを特徴とする電気かみそり。
【請求項４】
請求項３に記載の電気かみそりにおいて、
前記並設方向の端に位置する前記湾曲外刃をフロート不能にロックするためのフロートロック手段を備えたことを特徴とする電気かみそり。
【請求項５】
請求項３又は４に記載の電気かみそりにおいて、
前記並設方向の端に位置する前記湾曲外刃をその湾曲形状の凸側に移動させて突出させるための突出手段を備えたことを特徴とする電気かみそり。
【請求項６】
請求項３又は４に記載の電気かみそりにおいて、
前記並設方向の一端の外刃は、他の前記外刃よりも高さ位置が低く設けられ、
前記並設方向の他端の外刃は、前記湾曲外刃であることを特徴とする電気かみそり。
【請求項７】
請求項２〜６のいずれか１項に記載の電気かみそりにおいて、
前記各外刃のフロート力及びフロート可能量の少なくとも一方が、前記直線外刃と前記湾曲外刃とで異なるように構成されたことを特徴とする電気かみそり。
【発明の詳細な説明】
【技術分野】
【０００１】
本発明は、髭等の体毛を剃るための電気かみそりに関するものである。
【背景技術】
【０００２】
従来、電気かみそりは、把持部と該把持部の上端部に設けられたヘッド部とを備え、ヘッド部の上端には、体毛が導入可能な外刃が複数並設され、各外刃の内部側には電動駆動可能な内刃が設けられている。そして、外刃内に導入された髭等の体毛がその外刃と電動駆動する内刃とで挟んで切除されるようになっている。このような電気かみそりにおいて、例えば特許文献１のものでは、外刃が前後方向に沿って３つ設けられ、その各外刃は前後方向から見て上端が凸形状に湾曲する形状をなしている。そして、その湾曲の曲率半径は、前後方向両端の各外刃と前後方向中央の外刃とで異なるように構成されている。このような構成によれば、曲率が異なる外刃の上端が前後方向から見て交差したとき、その交差部分が肌の凸部分にフィットする窪み形状となり、それにより、１回の剃り動作でより広く剃れるようになっている。
【先行技術文献】
【特許文献】
【０００３】
【特許文献１】特開２００６−４２８９６号公報
【発明の概要】
【発明が解決しようとする課題】
【０００４】
しかしながら、上記のような電気かみそりでは、各外刃を前後方向から見て上端が凸形状に湾曲する形状に形成しなければならないため、製造が煩雑になって、製造コストがアップするという問題があった。
【０００５】
本発明は、上記課題を解決するためになされたものであって、その目的は、肌の凸部分にフィットする構成としつつも、製造し易く、低コスト化を図ることができる電気かみそりを提供することにある。
【課題を解決するための手段】
【０００６】
上記課題を解決するために、請求項１に記載の発明は、把持部と該把持部の上端部に設けられたヘッド部とを備え、前記ヘッド部の上端には、体毛が導入可能な外刃が複数並設され、前記各外刃の内部側には、電動駆動可能な内刃が設けられた電気かみそりであって、複数の前記外刃は、その並設方向から見て上端が直線形状をなす直線外刃と、前記並設方向から見て上端が凸形状に湾曲する湾曲外刃とを少なくとも１つずつ含むことを特徴とする。
【０００７】
この発明では、外刃の並設方向から見て湾曲外刃の上端と直線外刃の上端とが交差する状態において、その交差部分で湾曲外刃と直線外刃の各上端にて窪み形状が形成される。その窪み部分を肌の凸部分にフィットさせて使用することで、湾曲外刃と直線外刃で肌の別の部分をそれぞれ剃ることができ、その結果、１回の剃り動作で剃れる範囲を広くすることができる。そして、本発明では、肌の凸部分にフィットする窪み部分を形成するための構成として直線外刃を少なくとも１つ含んでおり、その直線外刃は加工し易く、製造コストが比較的安価であるため、外刃を全て湾曲形状とする構成と比較して製造し易く、また、低コスト化を図ることができる。
【０００８】
請求項２に記載の発明は、請求項１に記載の電気かみそりにおいて、前記各外刃は、前記ヘッド部に対してフロート支持されたことを特徴とする。
この発明では、各外刃を肌に押し当てることで、その各外刃を肌に追従させることができる。そのため、肌の凸部分を剃る際に、湾曲外刃と直線外刃とが肌の凸部分にフィットする状態（外刃の並設方向から見て湾曲外刃の上端と直線外刃の上端とが交差する状態）とすることが可能となる。そして、肌の比較的平らな部分を剃る際には、各外刃を肌の平らな部分に合った状態（湾曲外刃の上端の頂点部と直線外刃の上端とが外刃の並設方向から見てほぼ重なる状態）とすることが可能となる。
【０００９】
請求項３に記載の発明は、請求項２に記載の電気かみそりにおいて、前記並設方向の両端の前記外刃のうちの少なくとも一方は、前記湾曲外刃であることを特徴とする。
この発明では、湾曲外刃で例えば剃り残しの体毛等を狙って剃ることが可能となるため、電気かみそりの使い勝手を向上させることができる。
【００１０】
請求項４に記載の発明は、請求項３に記載の電気かみそりにおいて、前記並設方向の端に位置する前記湾曲外刃をフロート不能にロックするためのフロートロック手段を備えたことを特徴とする。
【００１１】
この発明では、湾曲外刃をフロート不能に固定することが可能となるため、並設方向の端に位置する湾曲外刃で例えば剃り残しの体毛等を狙って容易に剃ることができる。
請求項５に記載の発明は、請求項３又は４に記載の電気かみそりにおいて、前記並設方向の端に位置する前記湾曲外刃をその湾曲形状の凸側に移動させて突出させるための突出手段を備えたことを特徴とする。
【００１２】
この発明では、並設方向の端に位置する湾曲外刃をその湾曲形状の凸側に移動させて突出させることが可能となるため、その突出させた湾曲外刃で例えば剃り残しの体毛等を狙って容易に剃ることができる。
【００１３】
請求項６に記載の発明は、請求項３又は４に記載の電気かみそりにおいて、前記並設方向の一端の外刃は、他の前記外刃よりも高さ位置が低く設けられ、前記並設方向の他端の外刃は、前記湾曲外刃であることを特徴とする。
【００１４】
この発明では、並設方向一端の外刃が低く設けられるため、鼻下など顔面のせまい所を剃り易くすることが可能となる。また、剃り残し箇所に対し、並設方向他端の湾曲外刃を当て易くすることが可能となる。
【００１５】
請求項７に記載の発明は、請求項２〜６のいずれか１項に記載の電気かみそりにおいて、前記各外刃のフロート力及びフロート可能量の少なくとも一方が、前記直線外刃と前記湾曲外刃とで異なるように構成されたことを特徴とする。
【００１６】
この発明では、湾曲外刃のフロート力を直線外刃のフロート力よりも大きくした場合（若しくは、湾曲外刃のフロート可能量を直線外刃のフロート可能量よりも小さくした場合）に、湾曲外刃を直線外刃より上方へ突出させ易くなるため、湾曲外刃にて例えば剃り残しの体毛等を狙って剃り易くすることができる。また、反対に湾曲外刃のフロート力を直線外刃のフロート力よりも小さくした場合（若しくは、湾曲外刃のフロート可能量を直線外刃のフロート可能量よりも大きくした場合）には、湾曲外刃が強く肌に当たることが抑制され、肌に対する刺激を小さく抑えることが可能となる。
【発明の効果】
【００１７】
従って、上記記載の発明によれば、肌の凸部分にフィットする構成としつつも、製造し易く、低コスト化を図ることができる。
【図面の簡単な説明】
【００１８】
【図１】本実施形態の電気かみそりの模式斜視図。
【図２】図１の電気かみそりの模式正面図。
【図３】電気かみそりの模式側面図。
【図４】電気かみそりの使用状態を示す模式正面図。
【図５】別例の電気かみそりの模式側面図。
【図６】別例の電気かみそりの模式側面図。
【発明を実施するための形態】
【００１９】
以下、本発明を具体化した一実施形態を図面に従って説明する。
図１に示すように、本実施形態の電気かみそり１１は、使用者が把持可能な把持部１２と、該把持部１２の上端部に設けられたヘッド部１３とを備える。ヘッド部１３は、把持部１２に対して例えば前後方向Ｘ（剃り方向）及び幅方向Ｙに傾動可能に支持されている。尚、電気かみそり１１の前後方向Ｘ、幅方向Ｙ、及び上下方向Ｚは、それぞれ互いに直交する方向である。
【００２０】
ヘッド部１３の上端、詳しくはヘッドケース１３ａの上端開口部には、体毛を導入可能な外刃２０が自身の短手方向であってヘッド部１３の前後方向Ｘに沿って複数並設されるとともに、それぞれ上方に付勢された状態で下動可能（フロート可能）に設けられている。尚、各外刃２０は、図示しない樹脂支持枠に固定されて該樹脂支持枠と共に外刃ブロックを構成し、その外刃ブロック全体がヘッドケース１３ａに対して所定の範囲で上下動可能に支持されるとともに、ばね１４ａ，１４ｂ（図３参照）にて上方に付勢されることで、上方からの圧力にて下動可能（フロート可能）に設けられている。
【００２１】
また、ヘッド部１３において、各外刃２０の内部側にはそれぞれ、外刃２０の長手方向であってヘッド部１３の幅方向Ｙにおいて沿って往復駆動可能で外刃２０内に導入された体毛を挟んで切除するための内刃３０が設けられている。内刃３０は、図示しない樹脂支持枠に固定されて該樹脂支持枠と共に内刃ブロックを構成し、その樹脂支持枠が前記幅方向Ｙに沿って往復駆動可能な図示しない駆動軸に連結されて設けられている。また、この駆動軸は、例えばヘッド部１３の内部、又は把持部１２の内部に設けられた駆動源（モータ）にて駆動可能とされている。
【００２２】
ここで、本実施形態の外刃２０は、前後方向Ｘに沿って５つ並設され、所謂５枚刃とされている。そして、５つの外刃２０は、前後方向Ｘ（並設方向）の両端のものがそれぞれ湾曲外刃２１とされ、前後方向Ｘ中間の３つがそれぞれ直線外刃２２とされている。
【００２３】
各湾曲外刃２１は、図２に示すように、前後方向Ｘから見てその上端２１ａが上側に凸となるように所定の曲率で湾曲する形状をなしている。一方、各直線外刃２２は、前後方向Ｘから見て、上端２２ａが幅方向Ｙに沿った直線形状をなしている。尚、各直線外刃２２は、初期位置（上方からの荷重が掛かっていない状態での位置）では、その各上端２１ａ，２２ａが前後方向Ｘから見て互いに重なっている。また、初期位置において、湾曲外刃２１は、前後方向Ｘから見てその上端２１ａの頂点部２１ｂ（幅方向Ｙ中央部）が直線外刃２２の上端２２ａと重なるように構成されている。また、各湾曲外刃２１及びその１つ内側の直線外刃２２は、その上端部が幅方向Ｙから見て湾曲するように形成されている（図３参照）。また、各湾曲外刃２１及び各直線外刃２２内の内刃３０は、各湾曲外刃２１及び各直線外刃２２にそれぞれ対応する形状をなしている（図１参照）。
【００２４】
また、各湾曲外刃２１は前記ばね１４ａにて上方に付勢され、各直線外刃２２はばね１４ｂにて上方に付勢されている。そして、ばね１４ａの付勢力は、ばね１４ｂよりも大きくなるように設定されている。即ち、各湾曲外刃２１のフロート力は、直線外刃２２のフロート力よりも大きくなるように構成されている。尚、各ばね１４ａ，１４ｂは、各外刃２０（外刃ブロック）とヘッドケース１３ａに形成されたばね支持部１３ｂとの間に介在されている。
【００２５】
尚、本実施形態では、各外刃２０のうち、前後方向Ｘ両端のもの（湾曲外刃２１）は粗剃り用のネット刃とされ、その粗剃り用の各ネット刃のそれぞれ１つ内側に配置された直線外刃２２は仕上げ用のネット刃とされ、前後方向Ｘ中央に配置される直線外刃２２が自身の短手方向（前後方向Ｘ）に沿ったスリット（図示略）を有するスリット刃とされている。粗剃り用のネット刃（湾曲外刃２１）は、網目を構成する多数の枠状の外刃部（一方向に略沿って多数並設される第１外刃部と、該第１外刃部同士を連結すると共に第１外刃部と直交する方向に略沿って多数並設される第２外刃部）の厚さが略一定に設定されている。また、仕上げ用のネット刃は、網目を構成する多数の枠状の外刃部（一方向に略沿って多数並設される第１外刃部と、該第１外刃部同士を連結すると共に第１外刃部と直交する方向に略沿って多数並設される第２外刃部）の厚さが部分的に（例えば第２外刃部のみが）薄く形成され、短いくせ髭等においても剃れやすいように形成されている。また、前後方向Ｘ中央のスリット刃は、長毛が剃りやすいように前後方向Ｘに沿って延びるスリットの長さ幅が設定されている。
【００２６】
上記のように構成された電気かみそり１１では、外刃２０を肌Ｓに接触させた際に、例えば直線外刃２２が下方に押し込まれる（フロートする）と、図４に示すように、その直線外刃２２の上端２２ａと湾曲外刃２１の上端２１ａとが前後方向Ｘから見て交差する状態になる。すると、湾曲外刃２１の幅方向Ｙ中間部と直線外刃２２の幅方向Ｙ両端部とが、前後方向Ｘから見て窪んだ形状を形成し、その窪み部分が肌Ｓの凸部分にフィットするようになっている。即ち、湾曲外刃２１の幅方向Ｙ中間部と直線外刃２２の幅方向Ｙ両端部とがそれぞれ肌Ｓの別の部分に接触するようになっており、その結果、１回の剃り動作で剃れる範囲が広くなっている。そして、直線外刃２２は加工し易く、製造コストが比較的安価であるため、従来技術のように外刃を全て湾曲形状とする構成と比較して製造し易く、また、低コスト化を図ることができるようになっている。
【００２７】
また、本実施形態の電気かみそり１では、各湾曲外刃２１のフロート力が直線外刃２２のフロート力よりも大きくなるように構成されているため、各外刃２０を肌Ｓに押し当てたときに湾曲外刃２１が直線外刃２２よりも上方へ突出し易くなっている。そのため、その突出させた湾曲外刃２１にて例えば剃り残しの体毛等を狙って剃ることが容易となっている。
【００２８】
次に、本実施形態の特徴的な作用効果を記載する。
（１）本実施形態では、把持部１２と該把持部１２の上端部に設けられたヘッド部１３とを備え、ヘッド部１３の上端には、体毛が導入可能な外刃２０が複数並設され、各外刃２０の内部側には、電動駆動可能な内刃３０が設けられる。そして、複数の外刃２０は、その並設方向（前後方向Ｘ）から見て上端２２ａが直線形状をなす直線外刃２２と、並設方向から見て上端２１ａが凸形状に湾曲する湾曲外刃２１とが少なくとも１つずつ含まれる。これにより、外刃２０の並設方向から見て湾曲外刃２１の上端２１ａと直線外刃２２の上端２２ａとが交差する状態において、その交差部分で湾曲外刃２１と直線外刃２２の各上端２１ａ，２２ａにて窪み形状が形成される。その窪み部分を肌Ｓの凸部分にフィットさせて使用することで、湾曲外刃２１と直線外刃２２で肌Ｓの別の部分をそれぞれ剃ることができ、その結果、１回の剃り動作で剃れる範囲を広くすることができる。そして、本発明では、肌Ｓの凸部分にフィットする窪み部分を形成するための構成として直線外刃２２を少なくとも１つ含んでおり、その直線外刃２２は加工し易く、製造コストが比較的安価であるため、従来技術のように外刃を全て湾曲形状とする構成と比較して製造し易く、また、低コスト化を図ることができる。
【００２９】
（２）本実施形態では、各外刃２０は、ヘッド部１３に対してフロート支持されるため、各外刃２０を肌Ｓに押し当てることで、その各外刃２０を肌Ｓに追従させることができる。そのため、肌Ｓの凸部分を剃る際に、湾曲外刃２１と直線外刃２２とが肌Ｓの凸部分にフィットする状態（外刃２０の並設方向から見て湾曲外刃２１の上端２１ａと直線外刃２２の上端２２ａとが交差する状態）とすることが可能となる。そして、肌Ｓの比較的平らな部分を剃る際には、各外刃２０を肌Ｓの平らな部分に合った状態（湾曲外刃２１の上端２１ａの頂点部２１ｂと直線外刃２２の上端２２ａとが外刃２０の並設方向から見てほぼ重なる状態）とすることが可能となる。
【００３０】
（３）本実施形態では、並設方向の両端の外刃２０のうちの少なくとも一方は、湾曲外刃２１であるため、湾曲外刃２１で例えば剃り残しの体毛等を狙って剃ることが可能となり、電気かみそりの使い勝手を向上させることができる。
【００３１】
（４）本実施形態では、各外刃２０のフロート力が、直線外刃２２と湾曲外刃２１とで異なるように、詳しくは湾曲外刃２１のフロート力が直線外刃２２のフロート力よりも大きくなるように構成される。そのため、湾曲外刃２１を直線外刃２２より上方へ突出させ易くなるため、湾曲外刃２１にて例えば剃り残しの体毛等を狙って剃り易くすることができる。
【００３２】
尚、本発明の実施形態は、以下のように変更してもよい。
・上記実施形態において、外刃２０の並設方向（前後方向Ｘ）の端に位置する湾曲外刃２１をフロート不能にロックするためのフロートロック手段を備える構成としてもよく、また、外刃２０の並設方向（前後方向Ｘ）の端に位置する湾曲外刃２１をその湾曲形状の凸側（上方）に移動させて突出させるための突出手段を備える構成としてもよい。
【００３３】
例えば図５に示す構成では、可動ばね支持部１３ｃと、該可動ばね支持部１３ｃと連動するレバー４１とを備え、その可動ばね支持部１３ｃとレバー４１は前記突出手段を構成している。可動ばね支持部１３ｃは、ヘッドケース１３ａに対し上下動可能に設けられ、その可動ばね支持部１３ｃと湾曲外刃２１の一方（図５において右側の湾曲外刃２１であって湾曲外刃４２）との間にばね１４ｃが介在されている。そして、可動ばね支持部１３ｃ、ばね１４ｃ及び湾曲外刃４２は、ヘッドケース１３ａに設けられたレバー４１の操作により一体的に上下動するように構成されている。湾曲外刃４２は、レバー４１の操作によりその湾曲形状の凸側（上方）に移動し、その他の外刃２０よりも上方に突出するようになっている（図５参照）。これにより、その突出させた湾曲外刃４２で例えば剃り残しの体毛等を狙って容易に剃ることができる。尚、図５に示す構成では、可動ばね支持部１３ｃを設けたが、ばね１４ｃを支持するばね支持部を本実施形態のように固定式とし、レバー４１が湾曲外刃４２と連動して上下動するように構成してもよい。
【００３４】
また、図５に示す構成では、ヘッドケース１３ａに前記フロートロック手段としてのフロートロック部４３が設けられている。フロートロック部４３は、湾曲外刃４２（外刃ブロック）と係合可能に構成され、その係合状態においては湾曲外刃４２がフロート不能にロックされるようになっている。尚、フロートロック部４３は、湾曲外刃４２が他の外刃２０よりも上方に突出する突出位置（図５参照）と、他の外刃２０と上下方向Ｚの位置が同じである非突出位置の両方で湾曲外刃４２のフロートをロックすることが可能となっている。このような構成によれば、湾曲外刃４２をフロート不能に固定することが可能となるため、湾曲外刃４２で例えば剃り残しの体毛等を狙って容易に剃ることができる。
【００３５】
尚、図５に示す構成では、突出手段とフロートロック手段とを両方備えたが、いずれか一方のみを備える構成としてもよい。また、図５に示す構成では、突出手段とフロートロック手段とを別々の機構としたが、突出手段とフロートロック手段とを兼ねる機構を設けた構成としてもよい。また、図５に示す構成では、前後方向Ｘ両端の湾曲外刃２１のうちの一方（湾曲外刃４２）にフロートロック手段及び突出手段を設けたが、特にこれに限定されるものではなく、両方の湾曲外刃２１にフロートロック手段及び突出手段を設けてもよい。
【００３６】
・上記実施形態では、湾曲外刃２１のフロート力が直線外刃２２のフロート力よりも大きくなるように構成されたが、反対に湾曲外刃２１のフロート力が直線外刃２２のフロート力よりも小さくなるように構成してもよい。これにより、使用の際に湾曲外刃が強く肌に当たることが抑制され、肌に対する刺激を小さく抑えることが可能となる。
【００３７】
・上記実施形態では、湾曲外刃２１のフロート力と直線外刃２２のフロート力とが異なるように構成されたが、これに特に限定されるものではなく、湾曲外刃２１のフロート可能量と直線外刃２２のフロート可能量とが異なるように構成してもよい。例えば図６に示すように、各外刃２０の前記樹脂支持枠には、ヘッドケース１３ａに形成された上下方向に延びる係合溝５１，５２と係合する係合凸部６１が形成されている。各係合溝５１，５２は、その上端部の上下方向Ｚ位置は互いに等しく形成されており、各外刃２０の前記初期位置では、各外刃２０はばね１５により上方に付勢されて、各係合凸部６１は各係合溝５１，５２の上端部と係合している。そして、各外刃２０のフロート可能量は、各係合溝５１，５２の上下方向Ｚの寸法で決定されるようになっており、湾曲外刃２１の係合凸部６１と係合する係合溝５１の上下方向Ｚの寸法は、直線外刃２２の係合凸部６１と係合する係合溝５２の上下方向Ｚの寸法よりも短く形成されている。即ち、湾曲外刃２１のフロート可能量は、直線外刃２２のフロート可能量よりも小さく設定されている。これにより、各外刃２０を肌Ｓに押し当てたときに、湾曲外刃２１が直線外刃２２より上方へ突出し易くなるため、湾曲外刃２１にて例えば剃り残しの体毛等を狙って剃り易くすることができる。
【００３８】
尚、図６に示す構成では、湾曲外刃２１のフロート可能量が直線外刃２２のフロート可能量よりも小さくなるように構成されたが、反対に湾曲外刃２１のフロート可能量が直線外刃２２のフロート可能量よりも大きくなるように構成してもよい。この構成によれば、使用の際に湾曲外刃２１が強く肌Ｓに当たることが抑制され、肌Ｓに対する刺激を小さく抑えることが可能となる。また、図６に示すような、湾曲外刃２１のフロート可能量と直線外刃２２のフロート可能量とが異なる構成に、本実施形態のような湾曲外刃２１のフロート力と直線外刃２２のフロート力とが異なる構成を加えてもよい。
【００３９】
・上記実施形態では、前後方向Ｘ両端の外刃２０をそれぞれ湾曲外刃２１とし、それ以外の外刃２０を直線外刃２２として構成したが、その他の構成としては湾曲外刃２１と直線外刃２２とを少なくとも１つずつ含んでいればよく、例えば前後方向Ｘ両端のいずれか一方のみを湾曲外刃とし、それ以外を全て直線外刃として構成してもよい。また、前後方向Ｘ両端の外刃２０を直線外刃とし、それ以外の外刃２０を湾曲外刃としてもよく、また、前後方向Ｘ中央の外刃２０（スリット刃）のみを湾曲外刃とし、それ以外を直線外刃として構成してもよい。
【００４０】
・上記実施形態では、各外刃２０がヘッド部１３に対してフロート支持されるように構成したが、特にこれに限定されるものではなく、各外刃２０がヘッド部１３に対してフロート不能に支持されるように構成してもよい。
【００４１】
・上記実施形態では、前後方向Ｘ両側の外刃２０（湾曲外刃２１）をそれぞれ粗剃り用の各ネット刃とし、それらの１つ内側の外刃２０をそれぞれ仕上げ用のネット刃とし、前後方向Ｘ中央の外刃２０をスリット刃として構成したが、特にこれに限定されるものではなく、その外刃２０の種類は構成に応じて適宜変更してもよい。
【００４２】
・上記実施形態では、外刃２０を５つ有する所謂５枚刃の構成であったが、特にこれに限定されるものではなく、２枚刃、３枚刃、４枚刃又は６枚刃以上の構成としてもよい。
・上記実施形態において、前後方向Ｘ（並設方向）の一端の外刃２０を、他の外刃２０よりも高さ位置が低くなるように構成し、並設方向他端の外刃２０を湾曲外刃２１としてもよい。このような構成とすれば、鼻下など顔面のせまい所を剃り易くすることが可能となる。また、剃り残し箇所に対し、並設方向他端の湾曲外刃２１を当て易くすることが可能となる。尚、高さ位置が低い並設方向一端の外刃２０は湾曲外刃としてもよく、また、直線外刃としてもよい。
【符号の説明】
【００４３】
１１…電気かみそり、１２…把持部、１３…ヘッド部、１３ｃ…突出手段を構成する可動ばね支持部、２０…外刃、２１，４２…湾曲外刃、２１ａ…湾曲外刃の上端、２２…直線外刃、２２ａ…直線外刃の上端、３０…内刃、４１…突出手段を構成するレバー。
【図１】
2011067420.tif 000003
【図２】
2011067420.tif 000004
【図３】
2011067420.tif 000005
【図４】
2011067420.tif 000006
【図５】
2011067420.tif 000007
【図６】
2011067420.tif 000008